(57)【特許請求の範囲】
【請求項１】
外壁の開口部にサッシを取り付けた後、外壁を構成する外装材および該外装材の端部を隠す役物を施工する方法であって、
役物は、平板部と、その一端から立設した第一立板部および他端から第一立板部とは反対方向に立設した第二立板部と、前記第一立板部の先端から延設された第二の平板部とからなる二段の略階段状の断面形状を有し、
胴縁の下地外壁への施工時に、胴縁とサッシとの間に予め隙間を確保しておき、外装材を、その端部とサッシとの間に役物取付用空間を確保するように施工し、次いで役物を、その第一立板部および平板部を役物取付用空間に挿入すると同時に、前記隙間に第二の平板部を挿入し、第二立板部により外装材の端部を隠すように施工することを特徴とする外装材および役物の施工方法。
【請求項２】
役物取付用空間に挿入された第一立板部および平板部とサッシとの間に形成された空間に、シーリング材を充填することを特徴とする請求項１記載の外装材および役物の施工方法。
【発明の詳細な説明】
【技術分野】
【０００１】
本願発明は、建物の外壁を構成する外装材と、外壁における窓等の開口部周囲にて外装材の端部を隠す役物とを施工する方法に関するものである。
【背景技術】
【０００２】
従来、建物の外壁に窓枠等のサッシを取り付ける場合、外壁の適宜位置に形成された開口部にて、その開口端面に沿って窓枠等のサッシを取り付けることがしばしばある。
【０００３】
具体的には、たとえば図９〜図１２に例示したように、外壁１におけるモルタル仕上げされた既存外壁等の下地外壁１０に設けられた開口部１１の周端面に、サッシ２の上下左右枠を取り付ける。このサッシ２には様々な種類があり、図９および図１０では外付タイプ、図１１および図１２では半外付タイプのサッシ２を用いている。
【０００４】
ここで、外壁１を構成する下地外壁１０には、胴縁１２を介して外装材１３が取り付けられており、この外装材１３の端部には、略Ｕ字状または略逆Ｕ字状の断面形状を有する見切り縁等の役物３が取り付けられている。
【０００５】
かかる場合、まず役物３をサッシ２を取り付けた開口部１１周囲に取り付け、そして外装材１３をその端部が役物３の受け部３０に納まるようにして取り付ける。つまり、外装材１３の施工前に役物３を先行施工する。
【０００６】
このような役物３および外装材１３を用いた外壁１は、たとえば下記特許文献１にも記載されている。
【特許文献１】特開２００１−１５２６５５号公報
【発明の開示】
【発明が解決しようとする課題】
【０００７】
しかしながら、上記のとおりに、役物３が先行施工されていると、外装材１３を所定の位置まで施工し難い場合があった。
【０００８】
すなわち、たとえば図９や図１１に例示したように、複数枚の外装材１３を互いに上下に嵌合接合Ａさせる場合、サッシ２の下枠２ａの下方に位置する役物３と外装材１３に関しては、上側の外装材１３を役物３の受け部３０内にて一旦上に持ち上げてから下に降ろすことにより、下側の外装材１３との嵌合接合Ａを行わなければならず、そうすると、上側の外装材１３の上端部と役物３の受け部３０との間に隙間Ｂが生じて、外装材１３の正確な位置決めが難しくなる。
【０００９】
そこで、以上のとおりの事情に鑑み、本願発明は、外装材１３を先行施工し役物３を後施工することを可能ならしめるとともに、役物３と外装材１３端部との間に隙間が発生するのを防ぐことができる、外装材および役物の施工方法を提供することを課題としている。
【課題を解決するための手段】
【００１０】
本願発明は、上記の課題を解決するものとして、第１には、外壁の開口部にサッシを取り付けた後、外壁を構成する外装材および該外装材の端部を隠す役物を施工する方法であって、役物は、平板部と、その一端から立設した第一立板部および他端から第一立板部とは反対方向に立設した第二立板部と、前記第一立板部の先端から延設された第二の平板部とからなる二段の略階段状の断面形状を有し、胴縁の下地外壁への施工時に、胴縁とサッシとの間に予め隙間を確保しておき、外装材を、その端部とサッシとの間に役物取付用空間を確保するように施工し、次いで役物を、その第一立板部および平板部を役物取付用空間に挿入すると同時に、前記隙間に第二の平板部を挿入し、第二立板部により外装材の端部を隠すように施工することを特徴とする。
【００１１】
第２には、前記施工方法において、役物取付用空間に挿入された第一立板部および平板部とサッシとの間に形成された空間に、シーリング材を充填することを特徴とする。
【発明の効果】
【００１３】
上記第１の発明によれば、上記のとおりの施工を行うことで、外装材を先行施工し役物を後施工することが可能になり、且つ、役物と外装材端部との間に隙間が発生することを防ぐことができる。また、たとえば外壁の改装時においても、正確で且つ簡易な外装材の先行施工及び役物の後施工が可能となり、改装施工の省力化が実現される。
【００１４】
上記第２の発明によれば、上記第１の発明と同様な効果が得られ、また、上記のとおりのシーリング材充填を行うことで、役物とサッシとの間に形成された空間からの漏水を防ぐことができる。
【発明を実施するための最良の形態】
【００１６】
［参考形態］
図１〜図４は、各々、本願発明の参考形態を示したものである。
【００１７】
本参考形態では、外壁１の開口部１１に対して外付タイプのサッシ２が取り付けられ、且つモルタル仕上げされた既存外壁等の下地外壁１０および胴縁１２が施工されている状態において、まず外壁１の化粧層として機能する外装材１３を取り付ける。
【００１８】
このとき、外装材１３は、下地外壁１０表面の胴縁１２に対して釘打ち等によって固定するが、外装材１３の端部とサッシ２との間に、次述する役物３を取り付けるための空間（役物取付用空間と呼ぶこととする）４を確保するように、外装材１３の端部をサッシ２から少し離した位置とする。
【００１９】
より具体的には、開口部１１の下方に位置する外装材１３ａにあっては、その上端面１３１ａとサッシ２の下枠２ａとの間に役物取付用空間４を確保し、開口部１１の上方に位置する外装材１３ｂにあっては、その下端面１３１ｂとサッシ２の上枠２ｂとの間に役物取付用空間４を確保する。
【００２０】
続いて、この状態において、外装材１３の端部を表側から見えないように隠す見切り縁として機能する役物３を取り付ける。
【００２１】
使用される役物３は、帯板状の平板部３１と、平板部３１における奥側に位置する一端縁から垂直に立設した第一立板部３２と、平板部３１における手前側に位置する他端縁から第一立板部３２とは反対方向に垂直に立設した第二立板部３３とを備え、それらにより構成される略階段状の断面形状を有している。
【００２２】
この役物３を、外装材１３の取付後に、上記役物取付用空間４に第一立板部３２および平板部３１を挿入して取り付ける。
【００２３】
このとき、第一立板部３２は、役物取付用空間４内にて胴縁１２の端部表面に当接し、平板部３１は、第一立板部３２から役物取付用空間４を抜けて外装材１３の端部表面よりも前方に突出し、そして平板部３１の突出端から下方に又は上方に延びた第二立板部３３は、外装材１３の端部表面をその前方に位置して隠すようになる。
【００２４】
以上により、外装材１３を先行施工し役物３を後施工することができ、しかも役物３の後施工も役物取付用空間４内への挿入だけで良く、施工の省力化を図ることができる。さらに、従来例のように上側と下側の外装材１３を嵌合接合させる場合においても、役物３を取り付ける前に嵌合接合を行うことができるので、役物３と外装材１３の端部との間に隙間Ｂが発生することもなく、外装材１３を所定位置に正確に施工できるようになる。
【００２５】
後は、役物取付用空間４に挿入した状態の役物３を固定するために、固定ネジ５を前方から捩じ込み、第一立板部３２を胴縁１２に対してネジ止めすればよい。
【００２６】
そしてさらに、固定状態の第一立板部３２および平板部３１とサッシ２との間に形成された空間に対して、シーリング材６を充填してもよい。本参考形態では、バックアップ材７を先に充填し、残りの空間にシーリング材６を充填している。これによれば、役物３とサッシ２との間に形成された空間からの漏水を、効果的に防ぐことができる。
【００２７】
本参考形態では、水密材８を役物３の裏側に設けて、第二立板部３３と外装材１３との間からの漏水をも防ぐようにしている。水密材８は、スポンジパッキン状のものであり、図２および図３に例示したように、役物３の第二立板部３３裏面に設けられた取付部３３１に取付片８１が嵌入されて、取り付けられる。図３は取付部３３１および取付片８１の形状の一バリエーションを示している。
【００２８】
［実施形態］
図５〜図８は、各々、本願発明の一実施形態を示したものである。
【００２９】
本実施形態では、上記参考形態と基本構成は同じであるが、役物３が、第一立板部３２の先端からさらに第二の平板部３４が延設されて、二段の断面略階段状のものとなっており、この平板部３４が、役物取付用空間４への挿入時に胴縁１２とサッシ２との間にある隙間に挿入されている。この隙間は胴縁１２の下地外壁１０への施工時に予め確保しておいたものである。
【００３０】
その他の形状や構成は上記参考形態とは何等異ならず、同等な効果を実現できる。
【００３１】
一点、図８では、下側の役物３に対するシーリング材６を、バックアップ材７を用いずに直接充填している。この場合でも防水効果を実現できることは言うまでもない。
【００３２】
［他の実施形態］
以上の参考形態および実施形態ではサッシ２が外付タイプとなっているが、本願発明は、図１１や図１２における半外付タイプや図示していない内付タイプのサッシ２を用いる場合にももちろん適用できる。
【図面の簡単な説明】
【００３３】
【図１】本願発明の参考形態を示した断面図。
【図２】役物の参考形態を示した分解断面図。
【図３】役物の参考形態を示した分解断面図。
【図４】本願発明の参考形態を示した拡大断面図。
【図５】本願発明の一実施形態を示した断面図。
【図６】役物の一実施形態を示した分解断面図。
【図７】役物の一実施形態を示した分解断面図。
【図８】本願発明の一実施形態を示した断面図。
【図９】一従来例を示した斜視図。
【図１０】一従来例を示した断面図。
【図１１】一従来例を示した断面図。
【図１２】一従来例を示した断面図。
【符号の説明】
【００３４】
１  外壁
１０  下地外壁
１１  開口部
１２  胴縁
１３，１３ａ，１３ｂ  外装材
１３１ａ  上端面
１３１ｂ  下端面
２  サッシ
２ａ  下枠
２ｂ  上枠
３  役物
３０  受け部
３１  平板部
３２  第一立板部
３３  第二立板部
３３１  取付部
３４  平板部
４  役物取付用空間
５  固定ネジ
６  シーリング材
７  バックアップ材
８  水密材
８１  取付片
Ａ  嵌合接合
Ｂ  隙間
【図２】
0004815921.tif 000002
【図３】
0004815921.tif 000003
【図４】
0004815921.tif 000004
【図６】
0004815921.tif 000005
【図７】
0004815921.tif 000006
【図１】
0004815921.tif 000007
【図５】
0004815921.tif 000008
【図８】
0004815921.tif 000009
【図９】
0004815921.tif 000010
【図１０】
0004815921.tif 000011
【図１１】
0004815921.tif 000012
【図１２】
0004815921.tif 000013